(57)【要約】【課題】  採取する液体の容量を定めその容量の液体を繰り返し採取可能にした計量カップを提供する。【解決手段】  逆円錐台形の外筒部と、逆円錐台形の下筒部と逆円錐台形又は円柱形の上筒部とでなる内筒部と、取っ手部とで構成し、外筒部は、上開口部と、上下長手の外筒貫通孔と外筒部との共通貫通孔の下端に対応して液体の採取容量を示す目盛とを有する側壁部とを有し、内筒部は、下筒部が上下長手の内筒貫通孔を有して外筒部の側壁部に周回転可能に嵌合密着する下筒側壁部とを有し、上筒部が上筒上開口部と、外筒部より上方に突出する上筒側壁部とを有し、外筒部又は内筒部の少なくとも一方に底壁部を有し、内筒部を外筒部に嵌合密着させ周回転させ、内筒貫通孔と外筒貫通孔が交差してなる共通貫通孔を形成し、この共通貫通孔の下端まで目盛が示す採取容量の液体を採取可能にしたことを特徴とする計量カップとする。【選択図】図１
2015227864.tif 000002
【特許請求の範囲】
【請求項１】
逆円錐台形の外筒部と、逆円錐台形の下筒部と逆円錐台形又は円柱形の上筒部とでなる内筒部と、取っ手部とで構成し、
外筒部は、上開口部と、上下長手の外筒貫通孔と内筒部との共通貫通孔の下端に対応して液体の採取容量を示す目盛とを有する側壁部とを有し、
内筒部は、下筒部が、上下長手の内筒貫通孔を有する下筒側壁部とを有し、この下筒側壁部が外筒部の側壁部に周回転可能に嵌合密着し、上筒部が、上筒上開口部と、下筒部の前記下筒側壁部が外筒部の側壁部に嵌合密着した状態において外筒部の側壁部の上内周端部より上方に突出する上筒側壁部とを有し、
外筒部又は内筒部の少なくとも一方に底壁部を有し、
取っ手部は、柄部と、外筒部の側壁部に取付ける係着部とを有し、
外筒部の側壁部に内筒部の下筒部の下筒側壁部を嵌合密着させて周回転させることにより、内筒貫通孔と外筒貫通孔が重なり交差してなる共通貫通孔を形成し、
この共通貫通孔の下端まで目盛が示す採取容量の液体を採取可能にしたことを特徴とする計量カップ。
【請求項２】
請求項１記載の計量カップにおいて、外筒部の側壁部と内筒部の下筒部の下筒側壁部のいずれか一方に磁石片でなる吸着部と、他方に側壁を円周する帯状の強磁性体でなる被吸着部とを有し、
外筒部の側壁部に内筒部の下筒部の下筒側壁部が嵌合密着した状態において、吸着部と被吸着部を相対向するように配置したことを特徴とする計量カップ。
【請求項３】
請求項１又は２記載の計量カップにおいて、外筒部の側壁部に有する目盛は、外筒貫通孔の側辺近傍に、上外周端部と平行をなす目盛線と目盛線に付記する液体の採取容量を表す数値とで形成したことを特徴とする計量カップ。
【請求項４】
請求項１又は２記載の計量カップにおいて、外筒部の側壁部に有する目盛は、上外周端部近傍に、上外周端部と直角をなす目盛線と目盛線に付記する液体の容量を表す数値とで形成し、かつ、内筒部の上筒部の上筒側壁部に、前記目盛を指示する指針部を有したことを特徴とする計量カップ。
【請求項５】
請求項４記載の計量カップにおいて、内筒部の上筒部の指針部と外筒部の目盛線を凹凸状に形成し、目盛線に付記する液体の容量を表す数値を点字表示にしたことを特徴とする計量カップ。
【発明の詳細な説明】
【技術分野】
【０００１】
本発明は、あらかじめ採取する液体の容量を定めて、その容量の液体を繰り返し採取可能にする計量カップに関する。
【背景技術】
【０００２】
従来、家庭などで一般に多用されている計量カップは、透明なプラスチック材料等で作られた円筒形状の容器本体の側壁部に上下垂直方向に目盛線とこの目盛線に付記する液体の容量を示す数値とで構成する目盛を有し、液体を採取する都度、その液面が水平状態にあるときの位置を目盛で視覚で読み取ることにより、液体の容量を計量するものである。
【０００３】
だが上記の計量カップは、液体を採取する都度、その液体が水平状態にあるときの位置を目盛で読み取らねばならないので、同一容量の液体を繰り返し採取する場合でも、同様の目盛の読み取り操作を繰り返えし行わなければならない問題点がある。それ故、一定容量の液体を繰り返し採取する飲食業に従事する人や団体給食に従事する人、あるいは家庭で毎日料理時に一定容量の水を採取する老人等の視力の弱い人等は、採取作業に慣れていないと作業能率があがらず、ときには採取する容量を間違えることがある。また、触覚で計量する手段を有しないので、視覚障がい者には使用できない問題点がある。
【０００４】
そこで、あらかじめカップに採取する液体の容量を定めておくことにより、その容量の液体を繰り返し採取することができる計量カップが従来発明されており、それは特許文献１に示すものがある。この特許文献１の計量カップは、有底円筒形状の容器本体と、前記容器本体の開口部を下向きにして前記容器本体の外側に取り付けられ、上端の開口部が水平な円筒形状の外筒部と、前記容器本体の外周面及び前記外筒部の内周面に、前記外筒部が連続的又は段階的に上下方向に移動できるように設けられた内容量調整手段と、前記容器本体と前記外筒部との上下方向へのずれ巾から、前記外筒部の開口部で摺り切り状態にある内容物の容量が読み取られるようにした第１の計量手段と、一体となっている前記容器本体及び前記外筒部が上下反転されて、前記容器本体に投入された内容物の水平状態にあるときの界面位置から、前記内容物の容量が読み取られるようにした第２の計量手段とを備えるものである。そして、前記内容調整手段は、前記外筒部の内周面に設けられたメネジと、前記容器本体の外周面に、前記メネジに係合するように設けられたオネジとからなり、前記外筒部をネジ巻き式に上下方向へずらすことにより、その上下方向へのずれ巾に応じた分の内容量が連続的に増減するようにしているものである。
【０００５】
それ故、特許文献１の計量カップは、メネジをオネジに螺合させた場合、メネジが座面を締め付けることなしに、どこでも所要の螺合位置でオネジを締め付けて、外筒部を容器本体の所要の位置に継続的に維持させることができなければ目的とする容量の液体を繰り返し採取することができない。だが、ネジは一般的に座面当たりしたときに、ネジ面の摩擦トルクと座面における摩擦トルクが加わって堅固な締め付けがなされるものである。ところが、特許文献１の計量カップでは、座面当たりなしにどこでもネジ面の摩擦トルクだけで螺合位置を安定させなければならないため、メネジの谷とオネジの山を一貫して緊密に嵌り合うよう形成しなければならない。だがこれでは、強い螺合トルクが必要になり、誰でも手で容易に螺合操作できることを必要とする計量カップとしては使用しにくい問題点があるし、また、使用を繰り返すうちに、メネジとオネジが摩耗し、外筒部を容器本体の所要の位置に維持することができなくなり、採取したい容量の液体を繰り返し採取できなくなる問題点がある。と言って、螺合操作をやり易くするため、メネジの谷とオネジの山の嵌り合いをゆるく形成すると、ねじの締め付けが弱くなって、外筒部を容器本体の所要の位置に安定的に維持させることができなくなる問題点が生じる。また、触覚で計量する手段を有しないので、視覚障がい者には使用できない問題点がある。
【０００６】
次に、視覚障がい者用の計量カップについては、所定容量の液体を採取するカップを複数組み合わせ、各カップの内側に凸線状の目盛を設けたり、カップの定位置に穴を開けたものがある。わが国では、計量カップは香川栄養学園の創始者香川綾博士により考案された１個２００ｍｌ収容のものが慣習的に標準サイズになっていることから、視覚障がい者用の計量カップも、これをベースに５０ｍｌ、１００ｍｌ、２００ｍｌの３個一組になっているものが多い。だが、このタイプの計量カップは、採取する液体がカップのサイズに合う場合は、視覚障がい者にとって計量が便利であるが、採取する液体の容量が各カップの組み合わせでは計量できない場合、例えば、５０ｍｌ、１００ｍｌ、２００ｍｌの３個一組のカップの場合、８０ｍｌ、１２０ｍｌの液体を計量するには、液体の水位がカップの内側に設けた凸線状の目盛に合っているかを指先の触覚により確認しなければならず、視覚障がい者には極めて使用が不便であり、また、指先を液に浸さねばならないので衛生上の問題点もある。
【０００７】
また、この他の視覚障がい者用の計量カップに、太い注射器を用いて、中のシリンダーに切り欠きを作り、液体に浸けたシリンダーを指で押さえた切り欠き部まで引き抜いたり、筒にピンを刺し、ピンでそれ以上引き抜けぬようにして所定容量の液体を吸い上げるものもあるが、このタイプの計量カップは、液体の採取能力量が少ないので、２０ｍｌから３０ｍｌ程度の少量の液体の計量には適するが、１００ｍｌ、２００ｍｌといった大きい容量の液体の計量には不向きな問題点がある。
【先行技術文献】
【特許文献】
【０００８】
【特許文献１】特開２０１１−８０８０７号公報
【発明の概要】
【発明が解決しようとする課題】
【０００９】
本発明は、上述の従来の計量カップが有している問題点を解決しようとするものであり、あらかじめ採取したい液体の容量を自由に定めておくことにより、その容量の液体を、採取の都度計量することなしに、繰り返し採取可能な視覚健常者用と視覚障がい者用の計量カップを提供することを目的とする。
【課題を解決するための手段】
【００１０】
上記課題を解決するために、請求項１の計量カップは、逆円錐台形の外筒部と、逆円錐台形の下筒部と逆円錐台形又は円柱形の上筒部とでなる内筒部と、取っ手部とで構成する。そして、外筒部は、上開口部と、上下長手の外筒貫通孔と内筒部との共通貫通孔の下端に対応して液体の採取容量を示す目盛とを有する側壁部とを有し、内筒部は、下筒部が、上下長手の内筒貫通孔を有する下筒側壁部とを有し、この下筒側壁部が外筒部の側壁部に周回転可能に嵌合密着し、上筒部が、上筒上開口部と、下筒部の前記下筒側壁部が外筒部の側壁部に嵌合密着した状態において外筒部の側壁部の上内周端部より上方に突出する上筒側壁部とを有し、外筒部又は内筒部の少なくとも一方に底壁部を有し、取っ手部は、柄部と、外筒部の側壁部に取付ける係着部とを有する。そして、外筒部の側壁部に内筒部の下筒部の下筒側壁部を嵌合密着させて周回転させることにより、内筒貫通孔と外筒貫通孔が重なり交差してなる共通貫通孔を形成し、この共通貫通孔の下端まで目盛が示す採取容量の液体を採取可能にしたことを特徴とする。
【００１１】
請求項１記載の計量カップによれば、下筒部の下筒側壁部を外筒部の側壁部に周回転可能に嵌合密着させることが必要であるが、それには、外筒部の上内周端部の内径と下筒部の上外周端部（即ち下筒部の下筒側壁部と上筒部の外筒側壁部の境界外周部）の外径を等しくし、外筒部の上内周端部と側壁部の内側辺のなす角と、下筒部の上外周端部と下筒側壁部の下筒外側辺のなす角とを等しくするのが好ましい。これにより、下筒部を外筒部に任意の箇所で下に押し込むと、下筒側壁部の上端から下端までの全面がくさび状に外筒部に嵌合密着する。このくさび作用により本計量カップを持ち運んでも嵌合にずれが生じるのを防ぐことができる。この際、下筒部の下筒側壁部の下端が外筒部の底壁部に丁度突き当たるように、内筒部の下筒側壁部の斜高と外筒部の側壁部の斜高を決めるのが好ましいが、下筒部の外筒部へのくさび作用の妨げにならぬように、下筒部の下筒側壁部の下端と外筒部の底壁部との間に１〜３ｍｍの隙間を形成するよう、内筒部の下筒側壁部の斜高を外筒部の側壁部の斜高より僅かに短くするのも好ましい。そして、嵌合のずれを一層効果的に防ぐには、下筒部の下筒側壁部の下筒上外周端部近傍と外筒部の側壁部の上内周端部近傍とに互いに対向して側壁を一周する帯状の綾目ローレット加工を施すのも好ましい。尚、上記において上開口部とは、外筒部の上内周端部に囲まれた開口部である。
【００１２】
内筒部を外筒部に嵌合密着させ周回転可能にし、かつ、計量カップを据え置いた場合
容器が簡単に倒れないように姿勢を安定させるには、外筒部を円柱形に近い逆円錐台形にし、外筒部の上内周端部と側壁部の内側辺のなす角と、下筒部の下筒上外周端部と下筒側壁部の下筒外側辺のなす角を、共に８４度〜８８度にするのが好ましい。そして、内筒部の上筒側壁部は、下筒部の下筒側壁部が外筒部の側壁部に嵌合密着した状態において、外筒部の側壁部の上内周端部より上方に突出させることを必要とするが、この場合、上筒部の上筒側壁部は、１０ｍｍ〜１５ｍｍ突出させると、内筒部を外筒部に嵌合させ、周回転させるのに手でつまみ操作し易いので好ましい。
【００１３】
また、外筒部の側壁部に有する外筒貫通孔は上下長手をなすことが必要であるが、その上下長手方向は上下垂直方向、上下斜め傾斜方向いずれであっても良く、その形状は外筒部の側壁部の筒曲面に沿った細長い四方形状が好ましい。また、内筒部の下筒部の下筒側壁部に有する内筒貫通孔は、上下長手をなし、下筒部を外筒部に嵌合させ周回転させたときに、その上下長手方向は上下垂直、上下斜め傾斜方向いずれであっても良いが、外筒貫通孔と重なり交差可能であることが必要である。そして、その形状は下筒部の下筒側壁部の筒曲面に沿った細長い四方形状が好ましい。ここで、外筒貫通孔を上下垂直に形成する場合は、内筒貫通孔は斜め左上に下筒部の軸線に対して４０度〜４５度傾斜形成させるのが好ましい。また、外筒貫通孔を斜め右上に傾斜形成する場合は、外筒貫通孔は外筒部の軸線に対して４０度〜４５度傾斜形成し、内筒貫通孔は外筒貫通孔と内筒部の軸線に対称に斜め左上に傾斜形成させるのが好ましい。
【００１４】
共通貫通孔は、外筒部に嵌合した下筒部を周回転させることにより、内筒貫通孔と外筒貫通孔が重なり交差して形成されるが、内筒貫通孔を斜め左上に傾斜形成すると、下筒部を外筒部に嵌合させて左回り（反時計回り）に周回転させるにつれ、共通貫通孔の下端が下から上に垂直に移動し、更に回転を進めると共通貫通孔が閉じて形成されなくなり、更に回転を進めると共通貫通孔の下端が再び下から形成されるようになる。この場合、外筒貫通孔と内筒貫通孔の横幅は、外筒部の側壁部の上内周端部の径の１０／１００〜１５／１００にすると、内筒貫通孔の横幅があまり広くならず、かつ水切りが良くなり好ましい。
【００１５】
また、外筒部の側壁部には共通貫通孔の下端に対応して液体の採取容量を示す目盛を有することが必要であるが、この目盛は、目盛線と目盛線に付記する液体の容量を表す数値とで構成し、目盛線と目盛線の先端を連結する連結線を有することが好ましい。この場合、外筒貫通孔を上下長手垂直に形成する場合は、目盛は外筒貫通孔の側辺近傍に、上外周端部と平行をなす目盛線と目盛線に付記する液体の採取容量を表す数値とで形成するのが好ましく、外筒貫通孔を上下長手斜め傾斜に形成する場合は、目盛は上外周端部近傍に、上外周端部と直角をなす目盛線と目盛線に付記する液体の容量を表す数値とで形成し、かつ、内筒部の上筒部の上筒側壁部に、前記目盛を指示する指針部を有するのが好ましい。
【００１６】
そして、外筒部又は内筒部には少なくとも一方に底壁部を有することを必要とする。これにより採取した液体が外筒部又は内筒部の底部から漏れるのを防ぐことができる。外筒部、内筒部いずれに底壁部を有しても良いが、筒状体は底壁部があったほうが無いより構造が堅固になるので、直接が外物に触れる外筒部に底壁部を有した方が、外物からの衝撃に強くなるので好ましい。
【００１７】
また、取っ手部は、柄部が外筒部の側壁部に取付けることが必要であるが、これには、コーヒーカップのように液体を上から注ぎ入れるようにする場合は、柄部の先端がカップ本体の下方向に伸びる形状にするのが好ましく、柄杓のように液体をすくい取るようにする場合は、柄部の先端がカップ本体の上方向に伸びる形状にするのが好ましい。そして、外筒部と取っ手部の取付けは、両部一体成形（例えば、材料がプラスチックなら射出成形、ステンレスならプレス成形）にするのが好ましいが、外筒部の側壁部に１個又は軸線に対象に２個の被係着部を有し、取っ手部の係着部を着脱可能に係着できるようにするのも好ましい。
【００１８】
外筒部、内筒部、取っ手部の材料には、それぞれ、堅固で、酸、アルカリ、有機溶剤等の耐薬品性に強く、適度な耐熱性を有するプラスチック（例えば、スチロール樹脂、又はポリエチレン）又はステンレスが好ましい。ここで、適度な耐熱性とは、セ氏１５０度前後の溶液を採取しても容器の変形や材料成分が溶解しない程度の耐熱性をいう。
【００１９】
本計量カップが採取できる液体の容量は、業務用の計量カップは必要に応じ自由に定めるのが好ましい。そして、家庭用の計量カップは、従来一般的に使用されている計量カップが慣習的に標準サイズが２００ｍｌになっているので、本発明の計量カップも最大容量２００ｍｌ〜２５０ｍｌまで採取するのに適し、共通貫通孔を形成しないで、その都度採取した液体の容量を計量する場合は最大容量３００ｍｌまで計量可能にするのが好ましい。この場合、外筒部の側壁部の上内周端部の内径は７０ｍｍ〜８５ｍｍ、外筒部と内筒部の側壁部の厚さは１．５ｍｍ〜２ｍｍにし、これに合わせ、底壁部の内径と側壁部の斜高を定めるのが好ましい。そして、内筒部はこの外筒部に合わせた形状と寸法にするのが好ましい。
【００２０】
請求項２記載の計量カップは、請求項１記載の計量カップにおいて、外筒部の側壁部と内筒部の下筒部の下筒側壁部のいずれか一方に磁石片でなる吸着部と、他方に側壁を円周する帯状の強磁性体でなる被吸着部とを有し、外筒部の側壁部に内筒部の下筒部の下筒側壁部が嵌合密着した状態において、吸着部と被吸着部を相対向するように配置したことを特徴とする。
【００２１】
請求項２記載の計量カップによれば、内筒部の外筒部への嵌合回転をどこで止めても、そこで吸着部が磁力により被吸着部を吸着し、内筒部の外筒部への嵌合にずれが生じるのを防ぐことができるようになる。この場合、磁石の吸着力は、計量カップを取っ手を握って持ち運んだだけでは嵌合にずれが生じないが、少し手で力を加えれば、内筒部の外筒部への差し込み、内筒部の外筒部からの引き抜き、あるいは内筒部の周回転の位置きめを支障なく行うことができる程度であればよく、そのためには、吸着部の磁石にはフェライト磁石が好ましく、被吸着部の強磁性体には鉄粉を練りこんだプラスチック（例えば、スチロール樹脂又はポリエチレン）が好ましい。
【００２２】
請求項３記載の計量カップは、請求項１又は２記載の計量カップにおいて、外筒部の側壁部に有する目盛は、外筒貫通孔の側辺近傍に、上外周端部と平行をなす目盛線と目盛線に付記する液体の採取容量を表す数値とで形成したことを特徴とする。
【００２３】
請求項３記載の計量カップによれば、外筒部の側壁部の上外周端部と平行をなす目盛線には、各上端を結ぶ直線状の連結線を形成すると、各目盛線の間に共通貫通孔の下端が対応したときの目量が判別しやすくなるので好ましい。この連結線は、外筒貫通孔が上下垂直方向に形成される場合は、外筒貫通孔の右側辺に平行な垂直な直線を形成し、外筒貫通孔が右斜め上方向に形成される場合は、外筒貫通孔の右側辺に平行な傾斜直線を形成するようにする。これにより、内筒部を外筒部に嵌合周回転させるにつれて、共通貫通孔の下端が上下に移動するので、液体の採取目的容量を示す目盛に共通貫通孔の下端を直接合わせ、この下端まで採取目的容量の液体を採取可能にしている。
【００２４】
尚、請求項３記載の計量カップは、外筒部と内筒部を透明又は半透明なプラスチック（例えば、スチロール樹脂又はポリエチレン）で作れば、内筒部を外筒部に嵌合周回転させた場合に、内筒貫通孔と外筒貫通孔が重なり交差せず共通貫通孔が形成されない状態にすれば、採取した液体の液面が水平状態にあるときの位置を目盛で読み取ることができるので、従来、一般に使用されている計量カップ同様に、その都度採取した液体の容量を計量することもできる。この場合、最下位の目盛線を外筒貫通孔の下端より更に下方まで設け、最上位の目盛線を外筒貫通孔の上端より更に上方まで設けると、計量可能な範囲が広がり、共通貫通孔を形成した場合より多くの液体の容量を計量できるようになるので好ましい。一方、外筒部と内筒部をステンレスで作れば、非透明なので、共通貫通孔を形成した状態でのみ採取した液体の容量を計量することができるようになる。
【００２５】
請求項４記載の計量カップは、請求項１又は２記載の計量カップにおいて、外筒部の側壁部に有する目盛は、上外周端部近傍に、上外周端部と直角をなす目盛線と目盛線に付記する液体の容量を表す数値とで形成し、かつ、内筒部の上筒部の上筒側壁部に、前記目盛を指示する指針部を有したことを特徴とする。
【００２６】
請求項４記載の計量カップによれば、外筒部の側壁部の上外周端部と直角をなす目盛線には、各上端を結ぶ円弧状の連結線を形成すると、各目盛線の間に指針部が対応したときの目量が判別しやすいので好ましい。これにより、内筒部を外筒部に嵌合周回転させるにつれ、指針部も回転して目盛線を指示し、同時に共通貫通孔の下端が上下に移動するので、この指針部の目盛指示を介して、液体の採取目的容量を示す前記目盛に共通貫通孔の下端の高さを合わせ、この下端まで採取目的容量の液体を採取可能にしている。この場合、目盛は、外筒貫通孔の上方に配置すると、目盛が占めるスペース分だけ外筒貫通孔の占めるスペースが制限され、外筒貫通孔の長さが制限されるので、この制限を避けたければ、外筒貫通孔の上方から離れた側壁部（例えば、軸線に対称な裏側）に配置し、外筒貫通孔を長くし、それだけ採取可能な液体の容量のレンジを広げることもできる。
【００２７】
そして、内筒部が外筒部に嵌合しただけでは、外筒部の側壁部の上内周端部より上方に突出する上筒部の上筒側壁部と外筒部の側壁部との間に段差が形成されるので、このままでは指針部が目盛線よりへこんだ状態になり、指針部による目盛線への指示が目視判別しにくくなる。そこで、上筒部の上筒側壁部の指針部を設けたい箇所に厚み部を設け段差をなくし、この厚み部の上面に指針部を設けると、指針部と目盛線の厚面が合い、指針部による目盛線への指示が目視判別しやすくなるので好ましい。
【００２８】
請求項５記載の計量カップは、請求項４記載の計量カップにおいて、内筒部の上筒部の指針部と外筒部の目盛線を凹凸状に形成し、目盛線に付記する液体の容量を表す数値を点字表示にしたことを特徴とする。
【００２９】
請求項５記載の計量カップによれば、視覚障がい者が指の触覚で凹凸状の指針部による凹凸状の目盛線への指示を判別し、目盛線に付記された液体の容量を表す数値を点字で読み取ることができるようになる。ここで、凹凸状目盛は、外筒貫通孔の上方に配置すると、凹凸状目盛が占めるスペース分だけ外筒貫通孔の占めるスペースが制限され、外筒貫通孔の長さが制限されるので、外筒貫通孔の上方から離れた側壁部（例えば、軸線に対称な裏側）に配置すると、外筒貫通孔を長くし、それだけ採取できる液体の容量の範囲を広げることができ、また点字のスペースも広く取ることもできるので好ましい。尚、目盛線は凹状よりも凸状にし、指針部も凸状線にした方が触覚で判別しやすいので好ましい。
【００３０】
ところで、公認された点字は横２×縦３の６つの点を１マスとして表し、数字は数符を前にした２マスで表すが、本計量カップでは外筒部の側壁部のサイズが小さいので、各目盛線に液体の容量を示す公認された点字を付けるスペース余地はない。そこで、点字から数符を外し、計量カップの液体の容量に対応した独自の点字表示方法を工夫し、視覚障がい者が使い易いようにするのが好ましい。そして、請求項４記載の計量カップ同様に、上筒部の上筒側壁部の指針部を設けたい箇所に厚み部を設け段差をなくし、この厚み部の上面に凸状指針部を設けると、凸状指針部と凸状目盛線の厚面が合い、凸状指針部による凸状目盛線への指示が触覚判別しやすくなるので好ましい。
【発明の効果】
【００３１】
本発明の計量カップによれば、内筒部を外筒部に嵌合密着周回転させ、外筒貫通孔と内筒貫通孔が重なり交差してなる共通貫通孔を形成し、外筒部の上外周端部に平行な目盛線と目盛線に付記する液体の容量を表す数値とで構成する目盛に、共通貫通孔の下端の高さを合わせることにより、この下端まで採取目的容量の液体を繰り返し採取することができる。
また、内筒部を外筒部に嵌合密着周回転させ、外筒貫通孔と内筒貫通孔が重なり交差してなる共通貫通孔を形成し、外筒部の上外周端部に直角な目盛線と目盛線に付記する液体の容量を表す数値とで構成する目盛を、内筒部の指針部が指示し、この指示を介して、共通貫通孔の下端の高さを定めることにより、この下端まで採取目的容量の液体を繰り返し採取することができる。
また、外筒部の上外周端部近傍に上外周端部と直角なす目盛線と内筒部の指針部を凹凸状に形成し、目盛線に付記する液体の容量を表す数値を点字表示にすることにより、視覚障がい者が触覚により凹凸状の指針部で凹凸状の目盛線を指示し、この指示を介して、共通貫通孔の下端の高さを定めることにより、この下端まで採取目的容量の液体を繰り返し採取することができる。
また、外筒部の側壁部と内筒部の下筒部の下筒側壁部のいずれか一方に磁石でなる吸着部と、他方に側壁を円周する帯状の強磁性体でなる被吸着部とを有することにより、内筒部の外筒部への嵌合位置を磁力で定着させ、キャップを持ち運んでも、嵌合にずれが生じるのを防止することができる。
【図面の簡単な説明】
【００３２】
【図１】実施例１の計量カップの斜視図
【図２】実施例１の外筒部の斜視図
【図３】実施例１の内筒部の斜視図
【図４】実施例１の計量カップの縦断面図
【図５】実施例１の外筒部と内筒部の嵌合状態の一部拡大断面説明図
【図６】実施例２の計量カップの斜視図
【図７】実施例３の計量カップの斜視図
【図８】実施例３の外筒部の斜視図
【図９】実施例３の内筒部の斜視図
【図１０】実施例３の計量カップの縦断面図
【図１１】実施例３の計量カップの一部拡大断面説明図で、（ａ）は吸着部と被吸着部の対向断面図、（ｂ）は指針部と目盛の対向断面図
【図１２】取っ手部の斜視図で、（ａ）は柄部の先端が下方向に伸びた形状のもの、（ｂ）は柄部の先端が上方向に伸びた形状のもの
【図１３】実施例４の計量カップの正面側から視た斜視図
【図１４】実施例４の計量カップの裏側から視た斜視図
【図１５】実施例４の計量カップの一部拡大断面説明図で、（ａ）は吸着部と被吸着部の対向断面図、（ｂ）は凸状指針部と凸状目盛の対向断面図
【図１６】計量カップの操作方法説明図
【発明を実施するための形態】
【００３３】
以下、本発明の計量カップの実施形態の実施例を図面に基づいて説明する。
【実施例１】
【００３４】
本発明の計量カップの実施例１について、図１〜図５、及び図１６を参照して説明する。図１は計量カップの斜視図であり、内筒部を外筒部に嵌合させ、取っ手部を外筒部に取付けた斜視図、図２は外筒部の斜視図、図３は内筒部の斜視図、図４は計量カップの縦断面図であり、外筒部に嵌合密着した内筒部の軸線と取っ手部の柄部の軸線を含む縦断面図、図５は外筒部と内筒部の嵌合状態の一部拡大断面説明図であり、吸着部と被吸着部の対向断面図、図１６は計量カップの操作方法説明図である。
【００３５】
実施例１の計量カップは、図１、図４に示すように、逆円錐台形の外筒部１０と、逆円錐台形の下筒部４１と逆円錐台形の上筒部４８Ａとでなる内筒部４０と、取っ手部７０とで構成している。そして、外筒部１０と内筒部４０と取っ手部７０はいずれも透明なスチロール樹脂で作られ、外筒部１０に対する内筒部４０の嵌合密着次第で共通貫通孔６０を形成すれば、あらかじめ採取したい液体の容量を最大２５０ｍｌまで定めて、目的とする容量の液体を繰り返し採取することができる。また、外筒部１０に対する内筒部４０の嵌合密着次第で共通貫通孔６０を形成しなければ、その都度採取した液体の容量を最大３００ｍｌまで計量することができるようになっている。
【００３６】
外筒部１０は、図１、図２に示すように、上内周端部１４に囲まれてなる上開口部１１と、底壁部１２と、側壁部１３とを有している。ここで、側壁部１３は、上下垂直長手の外筒貫通孔１７と、共通貫通孔６０の下端６１に対向して液体の採取容量を示す目盛１８とを有している。内筒部４０は、図１、図３に示すように、下筒部４１は、下筒下開口部４２と下筒側壁部４３とを有しており、下筒側壁部４３は外筒部１０の側壁部１３に周回転可能に嵌合密着し、外筒貫通孔１７と重なり交差可能な斜め左上長手の内筒貫通孔４７を有している。逆円錐台形の上筒部４８Ａは、上筒上内周端部５１に囲まれてなる上筒上開口部４９と上筒側壁部５０とを有しており、上筒側壁部５０は、下筒部４１の下筒側壁部４３が外筒部１０の側壁部１３に嵌合密着した状態において、外筒部１０の側壁部１３の上内周端部１４より上方に突出している。ここで、下筒部４１の下筒上内周端部４５と下筒側壁部４３のなす角と、上筒部４８Ａの上筒上内周端部５１と上筒側壁部５０のなす角とは等しくなっており、下筒部４１と上筒部４８Ａは一体をなして逆円錐台形の内筒部４０を形成している。取っ手部７０は、図１に示すように、先端が下向きの柄部７１と外筒部１０の側壁部１３に取付けた係着部７２とを有しており、外筒部１０と取っ手部７０は一体に射出成形されている。
【００３７】
そして、外筒部１０に内筒部４０の下筒部４１を周回転可能に嵌合密着させるために、図４、図５に示すように、外筒部１０の上内周端部１４の内径と下筒部４１の下筒上外周端部４４の外径とを等しくし、かつ外筒部１０の上内周端部１４が側壁部１３の内側辺１６となす角と、下筒部４１の下筒外周端部４４が下筒側壁部４３の下筒外側辺４６となす角とを等しく形成している。これにより、下筒部４１を外筒部１０に任意の箇所で下に押し込むと、下筒部４１がくさび状に外筒部１０に嵌合密着するようになっている。この際、下筒部４１の下筒側壁部４３の下端が外筒部１０の底壁部１２に丁度接触もしくは僅かに離れるように、内筒部４０の下筒側壁部４３の斜高と外筒部１０の側壁部１３の斜高を定めている。
【００３８】
そして、内筒部４０を外筒部１０に嵌合させて周方向に左回り（反時計回り）に回転させ、内筒貫通孔４７と外筒貫通孔１７が重なり交差してなる共通貫通孔６０を形成し、この共通貫通孔６０の下端６１まで目盛１８が示す容量の液体を採取可能にしている。これにより、共通貫通孔６０を形成する状態においては、あらかじめ採取したい液体の容量を定めて、この容量を示す目盛１８に共通貫通孔６０の下端６１を対向させることにより、採取目的容量の液体を繰り返し採取することができ、また、共通貫通孔６０を形成しない状態においては、その都度採取した液体の液面が水平状態にあるときの位置を目盛１８で読み取ることにより、その液体の容量を計量することができるようになっている。
【００３９】
以下、更に実施例１の計量カップについて説明する。図１に示すように、外筒部１０の側壁部１３に有する外筒貫通孔１７は、上下垂直長手方向に筒曲面に沿った細長い長方形状をなしている。そして内筒部４０の下筒部４１の下筒側壁部４３に有する内筒貫通孔４７は、下筒部４１の軸線に対して４５度の傾斜をなして斜め左上長手方向に筒曲面に沿った細長い平行四辺形状をなし、内筒部４０を外筒部１０に嵌合させ周回転させたときに、外筒貫通孔１７と重なり合って交差可能になっている。これにより、内筒部４０を周方向に左回りに回転させる過程で、共通貫通孔６０が形成されたり、形成されなかったりする。つまり、共通貫通孔６０の下端６１の高さを最下位にして左回りに回転を進めると、下端６１が下から上に移動し、高さが最上位に至る。更に回転を進めると共通貫通孔６０が閉じて形成されなくなる。そして、更に回転を進めると再び共通貫通孔６０下端６１の高さが最下位に形成される。この場合、共通貫通孔６０は、下端６１が５０ｍｌに対向したときには直角三角形状の開口をなし、下端が６１が上に移動するにつれ平行四辺形状の開口をなすようになり、やがて下端６１が２５０ｍｌに対向したときにまた直角三角形状の開口をなすようになり、この間は水切りが良く、液体の採取能率が良くなっている。
【００４０】
外筒部１０の側壁部１３の外筒貫通孔１７の右側辺近傍に有する目盛１８は、共通貫通孔６０の下端６１に対向する液体の容量を示し、上外周端部１５と平行をなす目盛線１９と目盛線１９に付記する液体の容量を表す数値とで構成している。目盛線１９に付記する容量は、５０、７５、１００、２５、５０、７５、２００、２５、５０、７５ｍｌを表示し、３００ｍｌは側壁部１３の上外周端部１５のところにしている。（尚、１２５、１５０、１７５、２２５、２５０、２７５ｍｌは、１００桁を落とし、２５、５０、７５で表示してある。）そして、目盛線１９の各左端を結ぶ直線状の連結線２０を形成し、各目盛線１９の間に共通貫通孔６０の下端６１が対向したときの目量を判別し易くしている。
【００４１】
内筒部４０の逆円錐台形の上筒部４８Ａの上筒側壁部５０は、外筒部１０の側壁部１３
の上内周端部１４より上方に突出するようになっているので、この上方に突出した部分を一方の手（例えば、左手）でつまみ、他方の手（例えば、右手）で外筒部１０を掴んで周方向へ回転させる操作が容易にできるようになっている。
【００４２】
内筒部４０を外筒部１０に嵌合密着し周回転させ、共通貫通孔６０の下端６１の高さを定めたからには、次に回転操作をするまでは、カップを持ち運んでも回転位置にずれが生じないようにしないと、同一容量の液体を繰り返し採取できなくなる。そこで、このずれを防止するために、本実施例１では、図１、図５に示すように、外筒部１０の側壁部１３に磁石片でなる吸着部２３と、下筒部４１の下筒側壁部４３に強磁性体でなる被吸着部５４を有し、吸着部２３が被吸着部５４を吸着固定するようにしている。この場合、吸着部２３はフェライト磁石で作られ、外筒部１０の側壁部１３の上外周端部１５より略５〜１０ｍｍ下方に設けた吸着部嵌込み溝２４に嵌込まれている。そして被吸着部５４は鉄粉を練り込んだスチロール樹脂で作られ、下筒部４１を外筒部１０に嵌合密着した状態において前記吸着部２３に対向するように下筒部４１の下筒側壁部４３に設けた帯状に円周する被吸着部嵌込み溝５５に嵌込まれている。ここで、吸着部嵌込み溝２４は外筒部１０の側壁部１３の外側から内側に至る中途まで切り欠き，かつ被吸着部嵌込み溝５５は下筒部４１の下筒側壁部４３の内側から外側に至る中途まで切り欠いて、吸着部２３と被吸着部５４が直接接することがないよう嵌込んでいる。これにより、外筒部１０の側壁部１３と下筒部４１の下筒側壁部４３との嵌合密着に支障がなくなり、かつ吸着力も作用するので好ましい。吸着部２３と被吸着部５４を直接接するようにすると、両部２３、５４の互いの接触面を外筒部１０の側壁部１３の内側面と下筒部４１の下筒側壁部４３の外側面の逆円錐台形の曲面に一致させねばならず、加工の難度が高くなる。
【００４３】
取っ手部７０は、柄部７１と係着部７２とからなり、取っ手部と外筒部を一体に射出成形し、取っ手部７０の係着部７２を外筒部１０の側壁部１３に取り付けている。取っ手部７０の柄部７１は、先端がカップ本体の下方向に伸びたものになっており、コーヒーカップのように液体を上から注ぎ入れるのに適したものになっている。ここで、取っ手部７０は共通貫通孔６０の上下中央部に直角に左側に対向するように設けているので、本計量カップは右手ききの人が使用し易くなっている。
【００４４】
かくして、実施例１の計量カップは、内筒部４０を外筒部１０に嵌合周回転させ共通貫通孔６０を形成する状態においては、この共通貫通孔６０の下端６１まで目盛１８が示す採取容量の液体を採取可能にしているが、この場合、図１６の（ａ）に示すように、液体８０を採取したカップは、水平を保つことにより、共通貫通孔６０の高さまで、目的とする採取容量の液体８０を収容することができる。だが、水平を保ったまま、カップを持ち運ぶのは不便なので、カップを持ち運ぶときは、図１６の（ｂ）に示すようにカップを傾け、共通貫通孔６０を採取した液体８０の水平面より上になるようにすると、共通貫通孔６０から液体８０がこぼれることなくカップを持ち運び易くなっている。
【００４５】
尚、本実施例１の計量カップは、あらかじめ繰り返し採取したい液体の容量を最大２５０ｍｌ、採取した液体の容量をその都度最大３００ｍｌまで計量できるようにするために、外筒部１０の上内周端部１４の内径（即ち、上開口部１１の直径）は略８２ｍｍ、外筒部１０の側壁部１３の上内周端部１４と内側辺１６のなす角は略８５度、外筒部１０の側壁部１３と内筒部４０の下筒側壁部４３及び上筒側壁部５０の厚さは共に略２ｍｍにし、内筒部４０の寸法はこれに合わせ、上筒側壁部５０の高さは１０ｍｍにしている。そして、外筒貫通孔１７と内筒貫通孔４７の横幅は共に略１０ｍｍにし、吸着部嵌込み溝２４は横略１５ｍｍ、縦略８ｍｍ、被吸着部嵌込み溝５５は縦１０ｍｍにし、これに吸着部２３と被吸着部５４をそれぞれ嵌込むようにしている。
【実施例２】
【００４６】
本発明の計量カップの実施例２について図６を参照して説明する。図６は計量カップの斜視図であり、内筒部を外筒部に嵌合させ、取っ手部を外筒部に取付けた斜視図である。
【００４７】
実施例２の計量カップは、柄部７１の先端がカップ本体の下方向に伸びた形状の実施例１の取っ手部７０に換わり、図６に示すように、柄部７１の先端がカップ本体の上方向に伸びた形状の取っ手部７０を外筒部１０に取付けたものであり、柄杓のように液体をすくい取るのに適するものになっている。その他の構成は実施例１と同様である。
【実施例３】
【００４８】
本発明の計量カップの実施例３について図７〜図１２を参照して説明する。図７は計量カップの斜視図であり、内筒部を外筒部に嵌合させ、取っ手部を外筒部に着脱可能に係着するように取付けた斜視図、図８は外筒部の斜視図、図９は内筒部の斜視図、図１０は計量カップの縦断面図であり、外筒部に嵌合密着した内筒部の軸線と取っ手部の柄部の軸線を含む断面図、図１１は外筒部と内筒部の嵌合状態の一部拡大断面説明図であり、（ａ）は吸着部と被吸着部の対向断面図、（ｂ）は指針部と目盛の対向断面図、図１２は取っ手部の斜視図であり、（ａ）は柄部の先端が下方向に伸びた形状のもの、（ｂ）は柄部の先端が上方向に伸びた形状のものである。
【００４９】
実施例３の計量カップは、図７に示すように、逆円錐台形の外筒部１０と、逆円錐台形の下筒部４１と円柱形の上筒部４８Ｂとでなる内筒部４０と、取っ手部７０とで構成している。そして、外筒部１０と内筒部４０と取っ手部７０はいずれも透明なスチロール樹脂で作られ、外筒部１０に対する内筒部４０の嵌合密着次第で共通貫通孔６０を形成すれば、あらかじめ採取したい液体の容量を最大２５０ｍｌまで定めて、目的とする容量の液体を繰り返し採取することができるようになっている。また、外筒部１０に対する内筒部４０の嵌合密着第で共通貫通孔６０を形成しなければ、その都度採取した液体の容量を最大３００ｍｌまで計量することができる。
【００５０】
外筒部１０は、図７、図８に示すように、上開口部１１と、底壁部１２と、側壁部１３とを有している。ここで、側壁部１３は、斜め右上長手の外筒貫通孔１７と、上外周端部１５の近傍に液体の採取容量を示す目盛１８と、本外筒部１０の軸線に対称に２個の被係着部２５ａ、２５ｂとを有している。内筒部４０は、図７、図９に示すように、下筒部４１は、下筒下開口部４２と下筒側壁部４３とを有しており、下筒側壁部４３は外筒部１０の側壁部１３に周回転可能に嵌合密着し、外筒貫通孔１７と重なり交差可能な斜め左上長手の内筒貫通孔４７を有している。円柱形の上筒部４８Ｂは、上筒上開口部４９と上筒側壁部５０とを有しており、上筒側壁部５０は、下筒部４１の下筒側壁部４３が外筒部１０の側壁部１３に嵌合密着した状態において、外筒部１０の側壁部１３の上内周端部１４より上方に突出し、内筒部４０が外筒部１０に嵌合周回転するにつれて、目盛１８を指示する指針部５３を有している。ここで、下筒部４１と円柱形の上筒部４８Ｂは一体化した内筒部内中空部を形成している。取っ手部７０は、図１２の（ａ）に示す先端がカップ本体の下方向に伸びた柄部７１と外筒部１０の側壁部１３に着脱可能に係着するように取付ける係着部７２とを有しており、図７に示すように、外筒部１０の一方の被係着部２５ａに係着している。
【００５１】
そして、外筒部１０に内筒部４０の下筒部４１を周回転可能に嵌合密着させるために、図１０、図１１に示すように、外筒部１０の上内周端部１４の内径と内筒部４０の下筒部４１の下筒上外周端部４４の外径とを等しくし、かつ外筒部１０の上内周端部１４が側壁部１３の内側辺１６となす角と、下筒部４１の下筒上外周端部４４が下筒側壁部４３の下筒外側辺４６のなす角とを等しく形成している。これにより、下筒部４１を外筒部１０に任意の箇所で下に押し込むと、下筒部４１がくさび状に外筒部１０に嵌合密着するようになっている。この際、下筒部４１の下筒側壁部４３の下端が外筒部１０の底壁部１２に丁度接触もしくは僅かに離れるように、内筒部４０の下筒側壁部４３の斜高と外筒部１０の側壁部１３の斜高を定めている。
【００５２】
そして、内筒部４０を外筒部１０に嵌合させて周方向に左回り（反時計回り）に回転させ、内筒貫通孔４７と外筒貫通孔１７が重なり交差してなる共通貫通孔６０を形成し、この共通貫通孔６０の下端６１まで目盛１８が示す容量の液体を採取可能にしている。これにより、あらかじめ採取したい液体の容量を定めて、内筒部４０を周回転させ、指針部５３がその容量を示す目盛１８を指示することにより、共通貫通孔６０の下端６１が上下に移動し、採取目的容量の液体を繰り返し採取することができるようになっている。
【００５３】
以下、更に実施例３の計量カップについて説明する。図７に示すように、外筒部１０の側壁部１３に有する外筒貫通孔１７は、軸線に対して４５度の傾斜角度をなして斜め右上長手方向に筒曲面に沿った細長い長方形状をなしている。そして内筒部４０の下筒部４１の下筒側壁部４３に有する内筒貫通孔４７は、軸線に対して４５度の傾斜をなして斜め左上長手方向に筒曲面に沿った細長い長方形状をなし、内筒部４０を外筒部１０に嵌合させ周回転させたときに、外筒貫通孔１７と重なり合って交差可能になっている。これにより、内筒部４０を周方向に左回りに回転させる過程で、共通貫通孔６０が形成されたり、形成されなかったりする。つまり共通貫通孔６０の下端６１の高さを最下位にして左回りに回転を進めると、下端６１が下から上に移動し、高さが最上位に至る。更に回転を進めると共通貫通孔６０が閉じて形成されなくなる。そして、更に回転を進めると再び共通貫通孔６０下端６１の高さの最下位が形成される。この場合、共通貫通孔６０は菱形状の開口をなし、水切りが良く、液体の採取能率が良くなっている。
【００５４】
外筒部１０の側壁部１３の上外周端部１５の近傍に有する目盛１８は、共通貫通孔６０の下端６１に対向する液体の容量を示し、上外周端部１５と直角をなす目盛線１９と目盛線１９に付記する液体の容量を表す数値とで構成している。目盛線１９に付記する容量は、５０、１００、５０、２００、５０ｍｌを表示してある。（尚、１５０、２５０ｍｌは、１００桁を落とし、５０、５０で表示してある。）そして、内筒部４０が外筒部１０に嵌合したとき、外筒部１０の側壁部１３の上内周端部１４より上方に突出する円柱形の上筒部４８Ｂの上筒側壁部５０に、目盛１８を指示する指針部５３を有し、この指針部５３が目盛１９を指示するのを介して、共通貫通孔６０の下端６１まであらかじめ繰り返し採取したい液体の容量を定めることができるようになっている。そして、目盛線１９の各上端を結ぶ円弧状の連結線２０を形成し、各目盛線１９の間を指針部５３が指示したときの目量を判別し易くしている。この場合、内筒部４０の上筒側壁部５０が、外筒部１０の側壁部１３の上内周端部１４より上方に突出するので、内筒部４０の上筒側壁部５０と外筒部１０の側壁部１３と間に段差が形成され、このままでは指針部５３が目盛線１９よりへこんだ状態になり、指針部５３と目盛線１９の突合が目視判別しにくい。そこで、図７と図１１の（ｂ）に示すように、円柱形の上筒部４８Ｂの指針部５３を設けたい箇所に厚み部５６を設けて段差をなくし、この厚み部５６の上面に指針部５３を設けて、指針部５３と目盛線１９の厚面が合い指針部５３と目盛線１９の突合を目視判別しやすくしている。これにより、共通貫通孔６０を形成した状態では、採取したい容量の液体を５０ｍｌから２５０ｍｌまで定めて、その目的とする容量の液体を繰り返し採取することができるようになっている。尚、指針部５３と目盛線１９と連結線２０は、線形なので断面表示できないが、図１１の（ｂ）では、その対応を示すために、指針部５３と目盛線１９を太線表示してある。
【００５５】
そして、内筒部４０の円柱形の上筒部４８Ｂの上筒側壁部５０が外筒部１０の側壁部１３の上内周端部１４より上方に突出するようになっているので、実施例１同様に、この上方に突出した部分を一方の手（例えば、左手）でつまみ、他方の手（例えば、右手）で外筒部１０を掴んで周方向へ回転させる操作が容易にできるようになっている。
【００５６】
そして、図１１の（ａ）に示すように、実施例１同様に、外筒部１０の側壁部１３に磁石片でなる吸着部２３と、下筒部４１の下筒側壁部４３に強磁性体でなる被吸着部５４を有し、吸着部２３が被吸着部５４を吸着固定するようにしている。この場合、吸着部２３はフェライト磁石で作られ、外筒部１０の側壁部１３の上外周端部１５より略５〜１０ｍｍ下方に設けた吸着部嵌込み溝２４に嵌込まれている。そして被吸着部５４は鉄粉を練り込んだスチロール樹脂で作られ、下筒部４１を外筒部１０に嵌合密着した状態において前記吸着部２３に対向するように下筒部４１の下筒側壁部４３に設けた帯状に円周する被吸着部嵌込み溝５５に嵌込まれている。ここで、吸着部嵌込み溝２４は外筒部１０の側壁部１３の外側から内側に至る中途まで切り欠き，かつ被吸着部嵌込み溝５５は下筒部４１の下筒側壁部４３の内側から外側に至る中途まで切り欠いて、吸着部２３と被吸着部５４が直接接することがないようにし、外筒部１０の側壁部１３と下筒部４１の下筒側壁部４３との嵌合密着に支障がないようにするのが好ましい。
【００５７】
取っ手部７０は、柄部７１と係着部７２とからなり、図１２の（ａ）に示すように、柄部の先端がカップ本体の下方向に伸びる形状のものであり、液体を上から注ぎ入れて採取するのに適したものになっている。この取っ手部７０は、図７に示すように、外筒部１０に有する２個の被係着部２５ａ、２５ｂのうちの外筒貫通孔１７に向かって左側に配置した被係着部２５ａに着脱可能に係着するように、棒状の係着部７２を筒状の被係着部２５ａに堅固に差し込み、差し抜きできるようになっている。この場合、図面では識別可能に示していないが、係着部７２の先端には先細りのテーパを形成し、中央には被係着部２５ａのボス穴に対するしめしろを形成している。取っ手部７０を外筒部１０に係着する場合は、取っ手部７０の係着部７２を被係着部２５ａの上から差し込み、完全に差し込み終わった場合は、係着部７２の先端が被係着部２５ａより下に少し突き出るようになっているので、取っ手部７０を外筒部１０から外す場合は、下に少し突き出た部分を上に押し上げれば外しやすくなっている。
【００５８】
かくして、実施例３の計量カップは、内筒部４０を外筒部１０に嵌合させて周回転させることにより、指針部５３が目盛１８を指示することを介して、内筒貫通孔４７と外筒貫通孔１７が重なり交差してなる共通貫通孔６０を形成し、この共通貫通孔６０の下端６１まで目盛１８が示す採取容量の液体をカップ本体の上から注ぎこんで採取可能にしている。ここで取っ手部７０を図１２の（ｂ）に示す柄部７１の先端がカップ本体の上方向に伸びる形状のものに換えれば、柄杓のように液体をすくい取るのに適するものにすることができる。
【００５９】
尚、本実施例３の計量カップは、あらかじめ繰り返し採取したい液体の容量を最大２５０ｍｌまで繰り返し採取できるようにするために、外筒部１０の上内周端部１４の内径（即ち、上開口部１１の直径）は略８２ｍｍ、外筒部１０の側壁部１３の上内周端部１４と内側辺１６のなす角は略８５度、外筒部１０の側壁部１３と内筒部４０の下筒側壁部４３及び上筒側壁部５０の厚さは共に略２ｍｍにし、内筒部４０の寸法はこれに合わせ、上筒側壁部５０の高さは１０ｍｍにしている。そして、外筒貫通孔１７と内筒貫通孔４７の横幅は共に略１０ｍｍにし、吸着部嵌込み溝２４は横略１５ｍｍ、縦略８ｍｍ、被吸着部嵌込み溝は共に縦１０ｍｍにし、これに吸着部２３と被吸着部５４をそれぞれ嵌込むようにしている。
【実施例４】
【００６０】
本発明の計量カップの実施例４について図１３〜図１５を参照して説明する。図１３は計量カップの正面側から視た斜視図であり、内筒部を外筒部に嵌合させ、取っ手部を外筒部に取付け、外筒貫通孔を正面から視た斜視図。図１４は計量カップの裏面側から視た斜視図であり、裏側に配置した指針部と目盛を視た斜視図、図１５は外筒部と内筒部の嵌合状態の一部拡大断面図であり、（ａ）は吸着部と被吸着部の対応断面図、（ｂ）は凸状指針部と凸状目盛の対向断面図である。
【００６１】
実施例４の計量カップは、実施例３の計量カップにおいて、目盛線１９を凸状目盛２１に換え、指針部５３を凸状指針部５７に換え、かつ外筒部から被係着部を除き、取っ手部７０を外筒部１０に取付けたものである。
【００６２】
実施例４の計量カップでは、図１３と図１４に示すように、外筒部１０において、外筒貫通孔６０を正面側に、凸状目盛線２１と点字２２を裏側に配置してある。そして視覚障がい者が本カップを使用するときに視覚健常者が支援できるように、点字２２には目視できる数字を添えて表示してある。
【００６３】
ところで、公認された点字は横２×縦３の６つの点を１マスとして表し、数字は数符を前にした２マスで表すが、本実施例４では計量カップのサイズと液体の採取量に対応した独自の表示方法を工夫を施している。即ち図１４に示すように横２×縦３の６の点を１マスで表すが、数符を外し、５０，１００、１５０、２００、２５０についてそれぞれ横２の点の配置で判別できるようにしている。この点字の表示方法はこれに限らず、視覚障がい者が使い易いものであればどのようなものでも良い。そして、図１４と図１５の（ｂ）に示すように円柱形の上筒部４８Ｂの上筒側壁部５０の凸状指針部５７を設ける箇所に厚み部５６を設け段差をなくし、この厚み部５６の上に凸状指針部５７を設け、凸状指針部５７と凸状目盛線２１の高さを合わせ、凸状指針部５７と凸状目盛線２１の突合が触覚判別しやすくし、凸状目盛線２１の下に点字２２を設けている。
【符号の説明】
【００６４】
１０  外筒部    １１  上開口部    １２  底壁部      １３  側壁部  
１４  上内周端部  １５  上外周端部    １６  内側辺  １７  外筒貫通孔    
１８  目盛    １９  目盛線    ２０  連結線    ２１  凸状目盛線    ２２  点字    ２３  吸着部    ２４  吸着部嵌込み溝    ２５ａ、２５ｂ  被係着部    
４０  内筒部    ４１  下筒部    ４２  下筒下開口部    ４３  下筒側壁部    
４４  下筒上外周端部    ４５  下筒上内周端部      ４６  下筒外側辺    
４７  内筒貫通孔    ４８A  逆円錐台形の上筒部    ４８Ｂ  円柱形の上筒部
４９  上筒上開口部    ５０  上筒側壁部    ５１  上筒上内周端部                  ５３  指針部    ５４  被吸着部    ５５  被吸着部嵌込み溝    ５６  厚み部    
５７  凸状指針部    
６０  共通貫通孔  ６１  下端
７０  取っ手部    ７１  柄部    ７２  係着部
８０  液体
【図１】
2015227864.tif 000003
【図２】
2015227864.tif 000004
【図３】
2015227864.tif 000005
【図４】
2015227864.tif 000006
【図５】
2015227864.tif 000007
【図６】
2015227864.tif 000008
【図７】
2015227864.tif 000009
【図８】
2015227864.tif 000010
【図９】
2015227864.tif 000011
【図１０】
2015227864.tif 000012
【図１１】
2015227864.tif 000013
【図１２】
2015227864.tif 000014
【図１３】
2015227864.tif 000015
【図１４】
2015227864.tif 000016
【図１５】
2015227864.tif 000017
【図１６】
2015227864.tif 000018